(57)【要約】  ベルト通路の第１端部（３７）および第２端部（３９）との間に延びるベルト（４２）と、ベルト（４２）に取り付けられる第１タブ部材および第２タブ部材（１４、１６）とを有し、第１タブ部材（１４）が第１方向に移動したときには、第１方向とは異なる第２方向へ第２タブ部材（１６）がベルト（４２）によって移動するように構成されている包装体（１０）。両タブ部材（１４、１６）はそれぞれ接合材（４５、４６）によってベルト（４２）に取り付けられており、ベルト通路の一端に達した少なくとも一方の接合材によってタブ部材（１４、１６）の第１方向又は第２方向への移動が規制されるとともに、少なくとも一方のタブ部材が閉位置にあるときには、そのタブ部材側の接合材がベルト通路の両端部から内方に位置し、タブ部材が、接合材がベルト通路の一端に達して移動を規制するまで、閉位置から第１方向および第２方向の両方に移動可能である。
2009523675.tif 000002
【特許請求の範囲】
【請求項１】
ベルト通路の第１端部および第２端部との間に延びるベルトと、前記ベルトに取り付けられる第１タブ部材および第２タブ部材とを有する包装体であって、
前記第１タブ部材が第１方向に移動したときには、前記第１方向とは異なる第２方向へ前記第２タブ部材が前記ベルトによって移動するように構成されているものにおいて、
前記第１タブ部材および第２タブ部材がそれぞれ接合材によって前記ベルトに取り付けられており、タブ部材の第１方向又は第２方向への移動が、少なくとも一方の接合材が前記ベルト通路の一端に達することによって規制され、
少なくとも一方のタブ部材が閉位置にあるときには、当該タブ部材側の接合材が前記ベルト通路の両端部から内方に位置し、前記接合材が前記ベルト通路の一端に達して移動を規制するまで、前記タブ部材が前記閉位置から第１方向および第２方向の両方に移動可能に構成されている包装体。
【請求項２】
少なくとも一方のタブ部材が閉位置にあるときには、タブ部材の移動を規制する前記接合材が前記ベルト通路の両端部の略中間に位置している請求項１に記載の包装体。
【請求項３】
各タブ部材が閉位置にあるときには、各接合材が互いからオフセットされている請求項１に記載の包装体。
【請求項４】
接合材同士が、前記ベルト通路の両端部の略中間位置で仕切り材と直交する平面から、略等距離に設けられている請求項３に記載の包装体。
【請求項５】
接合材同士が、前記ベルト通路の両端部の略中間位置で仕切り材と直交する平面から、異なる距離をもってオフセットされている請求項３に記載の包装体。
【請求項６】
タブ部材の最大移動距離が、前記第１方向および第２方向の間で異なるように構成されている請求項３〜５のいずれか一項に記載の包装体。
【請求項７】
一方のタブ部材が閉位置にあるときには、当該タブ部材が前記ベルト通路と重なる請求項１〜６のいずれか一項に記載の包装体。
【請求項８】
両方のタブ部材が閉位置にあるときには、前記ベルト通路が両タブ部材で挟まれている請求項７に記載の包装体。
【請求項９】
タブ部材が、前記ベルト通路の長さよりも長いか又は同じ長さである請求項７又は８に記載の包装体。
【請求項１０】
包装体がさらに、反対向きの開放端部を備えたスリーブを有し、
少なくとも一方のタブ部材が、前記閉位置にあるときには前記スリーブ内に完全に又は大部分が収まり、前記第１方向又は第２方向のいずれかに移動したときには一方又は他方の開放端部を介して前記スリーブから突出可能である請求項１〜９のいずれか一項に記載の包装体。
【請求項１１】
タブ部材が、前記スリーブの長さより短いか又は同じ長さである請求項１０に記載の包装体。
【請求項１２】
タブ部材が、前記閉位置にあるときに前記スリーブから突出する延長部を有する請求項１１に記載の包装体。
【請求項１３】
両方のタブ部材が前記閉位置にあるときには、両タブ部材およびベルト通路が前記スリーブの上部壁および下部壁によって挟まれている請求項１０〜１２のいずれか一項に記載の包装体。
【請求項１４】
前記第１方向および第２方向が反対方向であることにより、前記第１タブ部材および第２タブ部材が互いに離間又は近接する請求項１〜１３のいずれか一項に記載の包装体。
【請求項１５】
前記ベルトが平らな仕切り材に巻回された連続ループである請求項１〜１４のいずれか一項に記載の包装体。
【請求項１６】
前記第１タブ部材がトレイである請求項１〜１５のいずれか一項に記載の包装体。
【請求項１７】
前記第２タブ部材がトレイである請求項１〜１６のいずれか一項に記載の包装体。
【請求項１８】
少なくとも一方のタブ部材が気泡緩衝パックから構成されている請求項１〜１７のいずれか一項に記載の包装体。
【請求項１９】
添付図面を参照しながら説明したもの又は添付図面に示したものと実質的に同じ包装体。
【発明の詳細な説明】
【技術分野】
【０００１】
本発明は、物品を包装する際に使用可能な、ボックスなどの包装体に関する。このような包装体の例を挙げると、薬品、携帯電話、ＭＰ３プレーヤー、携帯用コンピュータゲームのコンソール、コンパクトディスク、デジタルビデオディスク、チョコレート、化粧品、タバコ、布見本（swatch samples）、情報カード等がある。
【背景技術】
【０００２】
錠剤やカプセルなどの薬品は、気泡緩衝パック（blister packs）で包装されることが多い。気泡緩衝パックは錠剤又はカプセルを内包するための隆起領域又は気泡緩衝部（blister）を備えた成形樹脂ベースを有し、このベースはフォイルで覆われている。気泡緩衝パックは通常、薬品に関する情報を記載した紙片とともにボックスに梱包される。
【０００３】
製品の売上増加の原因が優れた包装体にある可能性があるため、製品を市場に出す際に包装体は重要である。優れた包装体とは、物品を確実に保持しながらも、能力や器用さのレベルに拘わらず人が簡便に開けられるものでなければならない。このような機能的特性に加えて、優れた包装体は人目を引く外観と、好ましくは興味も引く特徴とを有していなければならない。
【０００４】
同一出願人によるものであって言及したことによりその主題を本出願に包含するヨーロッパ特許第１１４０６３９号には、貫通路を形成する略筒状のスリーブと、前記貫通路を横切って延びる平らな仕切り材と、この仕切り材に巻回されたベルトと、前記貫通路内に延びるトレイ部材とを備えたボックスであって、さらに、前記貫通路内にタブ部材が延設され、前記トレイ部材およびタブ部材がそれぞれ前記ベルトに取り付けられることにより、前記タブ部材が第１方向に沿って前記貫通路から外に移動すると前記トレイ部材が前記第１方向とは反対の第２方向に沿って前記貫通路から外に移動し、かつ、前記ベルトが連続ループ状であることにより、前記タブ部材が前記第２方向に沿って前記貫通路内に移動すると前記トレイ部材が前記第１方向に沿って前記貫通路内に移動することを特徴とするボックス、が記載されている。
【０００５】
ヨーロッパ特許第１１４０６３９号のボックスは、タブ部材を引っ張るとトレイが反対方向に自動的に動くことに、最初にボックスを開けたユーザが驚くため、興味を引くものとなっている。
【０００６】
出願人はまた、イギリス特許出願第０５１９５８１．３号（イギリス公開特許第２４２８２３６号）に記載された改良されたボックス又は包装体も発明しており、言及したことによりその主題も本出願に包含される。このボックス又は包装体は、互いに略同じ平面上にある第１タブ部材および第２タブ部材と、一方のタブ部材の移動を駆動する手段とを有し、両タブ部材と駆動手段との協働によって前記第１タブ部材が第１方向に動くと前記第２タブ部材が前記第１方向と反対の第２方向に移動し、両タブ部材の移動がタブ部材存在平面に平行な平面内で行われる。
【０００７】
イギリス特許出願第０５１９５８１．３号にはまた、改良された包装体も記載されている。この包装体は、開放端部を備えたスリーブと、前記開放端部から前記スリーブの内外に移動可能なタブ部材と、前記タブ部材の前記移動に応答して移動可能な蓋とを備え、この蓋は、前記タブ部材が前記スリーブ内にあるときに前記開放端部を略覆う閉位置と、前記タブ部材が前記開放端部を介して前記スリーブから突出することを許容する開位置との間で移動可能であり、かつ、前記蓋は両端部を備えたウェブ構造（web）であり、一端が第１ヒンジで前記スリーブと接続し、他端が第２ヒンジで前記タブ部材と接続し、前記第１ヒンジに対する前記第２ヒンジの移動により前記蓋を移動駆動するように構成されている。
【０００８】
【特許文献１】ヨーロッパ特許第１１４０６３９号
【特許文献２】イギリス公開特許第２４２８２３６号
【発明の開示】
【発明が解決しようとする課題】
【０００９】
本発明の目的は、従来のものよりも、さらに面白く、人目を引き、意外性を持つ改良された包装体を提供することにある。
【課題を解決するための手段】
【００１０】
本発明によれば以下のものが提供される、すなわち、
ベルト通路の第１端部および第２端部との間に延びるベルトと、前記ベルトに取り付けられる第１タブ部材および第２タブ部材とを有する包装体であって、
前記第１タブ部材が第１方向に移動したときには、前記第１方向とは異なる第２方向へ前記第２タブ部材が前記ベルトによって移動するように構成されているものにおいて、
前記第１タブ部材および第２タブ部材がそれぞれ接合材によって前記ベルトに取り付けられており、タブ部材の第１方向又は第２方向への移動が、少なくとも一方の接合材が前記ベルト通路の一端に達することによって規制され、
少なくとも一方のタブ部材が閉位置にあるときには接合材が前記ベルト通路の両端部から内方に位置し、前記接合材が前記ベルト通路の一端に達して移動を規制するまで、前記タブ部材が前記閉位置から第１方向および第２方向の両方に移動可能に構成されている包装体。
【００１１】
この包装体は特に薬品の包装に適しているが、本発明はその用途に限定されるものではない。例えば、タブ部材の一方又は両方が、錠剤又はカプセルを包む気泡緩衝パックであってもよい。気泡緩衝パックは、接合材によってベルトに直接取り付けられることにより、タブ部材を構成することもできる。タブ部材の一方又は両方には、薬品に関する情報を印刷してもよい。これにより、常時薬品とともに情報を保管することができるので便利である。
【００１２】
好ましくは、少なくとも一方のタブ部材が閉位置にあるときには、タブ部材の移動を規制する接合材は、ベルト通路の両端部の略中間に位置している。つまり、タブ部材は、少なくとも一方の接合材がベルト通路の一端に達したことによってその移動が規制されるまで、閉位置から等距離にある。この構成により、前記タブ部材は、前記第１方向および第２方向の両方向に閉位置から移動することができる。
【００１３】
本発明の他の実施形態においては、少なくとも一方のタブ部材が閉位置にあるときには、接合材がそれぞれ互いからオフセットされていてもよい。この構成により、包装体の開放状態が非対称になるという特徴が付与され、したがって、各タブ部材が移動可能な最大距離が第１方向および第２方向の間でそれぞれ互いに異なるものとなる。
【００１４】
好ましくは、一方のタブ部材が閉位置にあるときには当該タブ部材が前記ベルト通路と重なり、両タブ部材とも閉位置にあるときにはベルト部材が両タブ部材によって挟まれる。タブ部材の長さは、ベルト通路よりも長いか、又は同じである。
【００１５】
前記包装体が互いに反対向きの開放端部を備えたスリーブを有し、少なくとも一方のタブ部材が閉位置ではスリーブ内に完全に又は大部分が収まり、第１方向又は第２方向のいずれかに移動すると、一方又は他方の開放端部を介してスリーブから突出可能な構成も有利な構成である。タブ部材の長さはスリーブよりも短いか又は同じにすることができる。本発明の実施形態の中には、タブ部材が、閉位置にあるときにスリーブから突出する延長部を有しているものもあり、これによりユーザは、この延長部を簡単に把持して引っ張り包装体を開けることができる。
【００１６】
スリーブを備えた包装体においては、両タブ部材が閉位置にあるときには、タブ部材およびベルト通路がスリーブの上部壁および下部壁によって挟まれている。
【００１７】
好ましくは、前記第１方向および第２方向が反対方向であることにより、第１タブ部材および第２タブ部材が互いに対し離間又は近接するようになっており、かつ、前記ベルトが平らな仕切り材に巻回される連続ループである。
【００１８】
このようにして、閉位置では包装体のスリーブ内に包まれたタブ部材が、第１方向および第２方向のいずれかに移動すると、一方又は他方の開放端部を介してスリーブから突出可能に構成されている。これは、包装体の両端部からタブ部材にアクセス可能になる点で有利な構成である。
【００１９】
タブ部材がトレイである場合には、トレイの中味も包装体の両端部からアクセスできる。タブ部材が閉位置にあるときに移動規制接合材がベルト通路の両端部の略中間に位置している場合には、この包装体の構造は特に重量物を支持収容するのに適している。なぜなら、少なくとも一方の接合材がベルト通路に達するとトレイ部材のそれ以上の移動が規制されるので、第１方向又は第２方向にトレイ部材がスリーブから突出できるのは最大でもトレイ部材の約半分の長さに限られるからである。
【００２０】
ただし、タブ部材が閉位置にあるときに接合材が互いからオフセットしている場合は、第１タブ部材および第２タブ部材は、それぞれ第１および第２方向へ移動したときには、異なる最大距離をもってスリーブから突出する。
【００２１】
この構成は特に、錠剤又はカプセルを包装するのに適している。例えば、タブ部材の一方又は両方が気泡緩衝パックである場合には、一方向に包装体を開けると、他の方向に開けたときよりもアクセス可能な錠剤やカプセルを少なくすることができる。この包装体は、一方向に包装体を開けたときは、日中に摂取する錠剤を取り出し、他方向に包装体を開けたときは夜に摂取する錠剤を取り出すことができるように構成してもよい。これはユーザが異なる種類の錠剤を区別するのに役立つし、さらに、ある種類の錠剤が他の種類の錠剤よりも多数必要とされる構成にも適している。
【００２２】
ここからは本発明をより容易に理解するために、添付図面を参照しながら、現時点で好適な実施形態についてさらに説明する。
【発明を実施するための最良の形態】
【００２３】
まず図１および図２を参照すると、包装および／又は陳列に適したボックス１０が示されている。ボックス１０は中空の矩形体又はスリーブ１２を有し、これは、第１タブ部材１４および第２タブ部材１６を収納するための貫通路を形成する。図３（ａ）から最もよく分かるように、スリーブ１２は上部壁１８、下部壁２０、２つの側壁２２、２４、および２つの開放端部２６、２８を備えている。ボックス１０はまた、スリーブ１２の開放端部２６、２８間にわたって貫通路内を延びる平らな仕切り材３０を備えており、これは貫通路を上部貫通路と下部貫通路に分割している。タブ部材１４、１６は貫通路の全長にわたって延びており、本実施形態では、スリーブ１２内に全体が収容できる寸法になっている。第１タブ部材１４は下部貫通路に収納され、第２タブ部材１６は上部貫通路に収納される。タブ部材１４、１６は、互いに近接および離間するよう、仕切り材３０およびスリーブ１２に対して往復可能である。
【００２４】
図２および図３（ｂ）から最もよく分かるように、仕切り材３０は上面３４および下面３６と２つの側縁部３８、４０と２つの端部３７、３９とを備え、略矩形状である。仕切り材３０はバンド又はベルト４２を備え、これは仕切り材３０よりも幅狭であるとともに、仕切り材３０によって形成されるベルト通路（図３（ｂ）のみに示す）上で、仕切り材３０に巻回されている。ベルト４２は、その両端が接合され連続ループを形成している。ベルト通路は、仕切り材３０の各端部３７、３９に設けた切り欠き部４４によって形成した両端部３７、３９にわたって延びるくびれ部（waist）から形成され、ベルト４２が仕切り材３０に対して横方向に動かないよう抑制している。仕切り材３０は、その側縁部３８、４０の近傍その他の好都合な箇所に位置させた接着剤（図外）によってスリーブ１２に取付け又は固着される。これに代え、仕切り材３０とスリーブ１２とは一体であってもよい。
【００２５】
ベルト４２は通常、例えばセロファン（Cellophane（登録商標））又はトレオファンＧＮＤ（Treofan GND（登録商標））等のプラスチックフィルムのような低摩擦シート材の帯板片、又は、ポリテトラフルオロエチレン（ＰＴＦＥ）のような低摩擦コーティングを施した材料の帯板片である。ベルト材料は、ベルト４２が仕切り材３０に対して容易にスライドできるように選択される。
【００２６】
第１タブ部材１４は第１接合材４５によってベルト４２に取り付けられ、第２タブ部材１６は第２接合材４６によってベルト４２に取り付けられる。接合材４５、４６は接着剤を帯板状にしたものである。第１タブ部材１４はトレイ状であり、衣服、宝石類、携帯電話やそれに付随するアクセサリー、タバコ、コンパクトディスク、デジタルビデオディスク、ミニディスク、電子部品、薬品、菓子類、チョコレート、化粧品その他の、トレイに梱包可能な製品等の物品を収容するのに使用可能である。図３（ｃ）に示すように、第１タブ部材１４は２つの隔室４８を有しており、それぞれの隔室はオプションとしての蓋５０で覆われている。蓋５０を備えた第１タブ部材１４には、トレイ内に収納されている、ＣＤのトラックに関する情報、ＣＤに関するデータ、携帯電話の使用説明書や、薬品に関する情報などが印刷されていてもよい。あるいは、第２タブ部材１６のみがトレイ状であってもよいし、両方のタブ部材１４、１６がトレイ状であってもよい。また、両方のタブ部材１４、１６が、情報又は平らな物品のみを収容するタブ状のものであってもよいことが理解されるであろう。タブ部材１４、１６は、ボックス１０が陳列用装置および／又は販促用ツールとして使用できるように印刷情報又は布見本（fabric swatch samples）などを収容してもよい。
【００２７】
第１タブ部材１４が完全な閉位置（図１（ａ）に示す）から矢印Ｘ方向に押し込まれたり引き出されたりするときには、タブ部材１４がベルト４２を仕切り材３０回りで回転させ、第２タブ部材１６が矢印Ｙ方向に動いて、第１タブ部材１４から遠ざかって図１（ｂ）の第１開位置に向かう。そして、第１タブ部材１４が反対方向（矢印Ｙ方向）に押し込まれたり引き出されたりしてスリーブ１２内に戻るときには、ベルト４２は再び反対方向に回転し、第２タブ部材が矢印Ｘ方向に動いて、両タブ部材が元の完全な閉位置に戻る。第１タブ部材１４を矢印Ｙ方向に動かし続けると、ベルト４２は、仕切り材３０の回りを回転し続けて、タブ部材１４、１６が、第１タブ部材１４がＹ方向に完全に延伸し、第２タブ部材がＸ方向に完全に延伸した第２開位置に達する。
【００２８】
タブ部材１４、１６は、これらのタブ部材１４、１６をベルト４２に取り付ける接合材４５、４６の出発位置設定によって、Ｘ方向およびＹ方向の両方向に開くことができる。図１、２、４に示す実施形態において、完全閉位置にあるときには、接合材４５、４６の出発位置は互いに重なり合っており、つまり互いに位置合わせされており、仕切り材３０の全長およびタブ部材１４、１６の全長の約半分の位置にある。つまり、タブ部材１４、１６は、完全閉位置から、図１（ｂ）および図１（ｃ）に示す２つの完全開位置のうちいずれか一方まで、Ｘ方向又はＹ方向のいずれかに押し込まれたり、引き出されたりする。図１（ｂ）に示す第１完全開位置において、第１タブ部材１４および第２タブ部材１６は、それぞれ、Ｘ方向およびＹ方向に、スリーブ１２から外へ完全に延伸し、図１（ｃ）に示す第２完全開位置において、第１タブ部材１４および第２タブ部材１６は、それぞれ、Ｙ方向およびＸ方向に、スリーブ１２から外へ完全に延伸する。タブ部材１４、１６は、接合材４５、４６が仕切り材３０の端部においてベルト通路の端部に達すると、完全開位置、つまり延伸位置に来る。接合材４５、４６の開始位置によって、タブ部材１４、１６の収容／陳列用スペースは最大になり、タブ部材１４、１６のボックスの本体からの最大伸長量（突出量）は最小になる。この構造は、重量物の包装により適していることがわかるであろう。
【００２９】
タブ部材１４、１６と仕切り材３０との間の相対移動は、より詳細には図４に示す通りである。ユーザが第１タブ部材１４を矢印Ｘ方向へ引き出す／押し込むと、第１タブ部材１４がベルト４２を仕切り材３０に対して移動させる。ベルト４２が移動することにより、第２タブ部材１６は矢印Ｙ方向に移動する。図４（ｂ）に示すように、結合材４５、４６が仕切り材３０の端部に達すると、第１タブ部材１４をそれ以上矢印Ｘ方向へは引き出し／押し込むことができなくなり、第２タブ部材１６は完全開位置の一方に位置することになる（図４（ｂ）参照）。換言すると、第１タブ部材１４がスリーブ１２から引き出された場合、結合材４５が仕切り材３０の端部でベルト通路の端部に達すると、ベルト４２の仕切り材３０の回りの回転が停止する。
【００３０】
ユーザが第１タブ部材１４を矢印Ｙ方向に押し込むと、第１タブ部材１４がベルト４２を反対方向に移動させ、第２タブ部材１６が矢印Ｘ方向に移動するようになっている。第１タブ部材１４は、図４（ｃ）に示すように、接合材４５、４６が仕切り材３０の端部に達すると、それ以上矢印Ｙ方向へ押し込めないようになっている。換言すると、第１タブ部材１４がスリーブ１２に押し戻された場合、接合材４５が仕切り材３０の端部でベルト通路の端部に達すると、ベルト４２の仕切り材３０回りの回転が停止する。必要に応じて、ユーザは第２タブ部材１６を完全閉位置まで矢印Ｙ方向に押し込むことができる。第１タブ部材および第２タブ部材１４、１６の両方が完全閉位置まで戻るため、効果は同じである。
【００３１】
本実施形態では、仕切り材３０のベルト通路の両端部の間の距離が、第１タブ部材および第２タブ部材１４、１６のそれぞれの最大の動きを規定している。仕切り材３０の下面３６および上面３４に対する第１タブ部材および第２タブ部材１４、１６の動きは仕切り材３０のいずれかの端部でベルト通路の端部に達する接合材４５、４６によって規制される。したがって、ベルト通路の長さは、タブ部材１４、１６の距離が、それらが完全開位置にあるときに内容物を出し入れすることができる十分なものであるように、選択されなければならない。
【００３２】
図５は本発明の別の一実施形態を示し、ここでは、タブ部材１４、１５がそれぞれ閉位置にあるとき（図５（ａ））に接合材４５、４６が互いからオフセットしている。接合材４５、４６は、ベルト通路の端部３７、３９の間の略中間の位置で仕切り材３０に直交する平面Ｚから実質的に等距離になるようにオフセットされている。図５（ｂ）に示すように、第１タブ部材１４は矢印Ｘ方向に動いて、それぞれの接合材４５、４６がベルト通路の両端部３９、３７に達するまでの第１最大距離、第２タブ部材１６を矢印Ｙ方向に移動させることができる。これにより、タブ部材１４、１６がそれ以上前述した方向へ動かないようにする。図５（ｂ）におけるボックス１０は第１完全開位置にあり、タブ部材１４、１６は、両方向矢印４７で示す第１最大距離までスリーブ１２の両方向に突出している。
【００３３】
次に図５（ｃ）を参照すると、第１タブ部材１４は矢印Ｙ方向に動いて、それぞれの接合材４５、４６がベルト通路の両端部３７、３９に達するまでの第２最大距離、第２タブ部材１６を矢印Ｙ方向に移動させることができる。これにより、タブ部材１４、１６がそれ以上前述した方向へ動かないようにする。図５（ｃ）におけるボックス１０は第２完全開位置にあり、タブ部材１４、１６は、両方向矢印４９で示す第２最大距離までスリーブ１２の両方向に突出している。
【００３４】
図５（ｂ）と図５（ｃ）とを比較すると、第１タブ部材１４は矢印Ｙ方向よりも矢印Ｘ方向へより多く動くことができ、第２タブ部材１６は矢印Ｘ方向よりも矢印Ｙ方向へより多く動くことができ、したがって、第１最大距離の方が第２最大距離よりも大きいということがわかるであろう。この非対称は、図４（ａ）に示す接合材４５、４６のオフセット配置によるものであり、ボックス１０が第２完全開位置にあるとき（図５（ｃ））よりも、第１完全開位置（図５（ｂ））にあるときに、第１タブ部材および第２タブ部材１４、１６をより多くスリーブ１２から突出させることができる。
【００３５】
図６には、さらに別の実施形態を示す。ここでは、接合材４５、４６は互いからオフセットされているが、平面Ｚから等距離とはなっていない。本実施形態では、図６（ｂ）に示すように、第１タブ部材１４の矢印Ｘ方向への移動、および第２タブ部材１６の矢印Ｙ方向への移動は、第１接合材４５がベルト通路の他端３９に達していなくても、第２接合材４６がベルト通路の端部３７に達することによって規制される。このときには、ボックス１０は第１完全開位置にあり、このことにより、タブ部材１４、１６はスリーブ１２から両方向矢印４７で示す第１最大距離まで突出することになる。
【００３６】
図６（ｃ）に示すように、第１タブ部材１４の矢印Ｙ方向への移動、および第２タブ部材１６の矢印Ｘ方向への移動は、第２接合材４６がベルト通路の他端３９に達していなくても、第１接合材４５がベルト通路の端部３７に達することによって規制される。このときには、ボックス１０は第２完全開位置にあり、このことにより、タブ部材１４、１６はスリーブ１２から両方向矢印４９で示す第２最大距離まで突出することになる。第２最大距離４９は第１最大距離４７よりも小さく（図６（ｂ））、この非対称も、図６（ａ）に示すオフセットされた接合材４５、４６によるものである。
【００３７】
要するに、接合材４５、４６は互いに正確に位置合わせされている必要はない。つまり、タブ／トレイ部材に連設されている接合材のうち、一方のみが仕切り材３０の端部に達するだけで第１完全開位置にできる。このように、ベルト通路の長さに沿って接合材４５、４６を互いにオフセットさせることにより、タブ部材１４、１６がそれぞれ、第１および第２方向において、異なる最大距離分移動することができる。
【００３８】
図７に示すように、スリーブ１２は、図５からわかるように、樹脂などのシート材、厚紙（cardboard）又は折りたたみ式の段ボール紙（folding box board）を切断して折り目をつけることにより製造された１枚の平らな半製品を折りたたんで接着することにより製造することができる。半製品は３枚のパネル７６、７８、８０からなり、４本のライン８２、８４、８６、８８に沿って折り目がつけられている。パネル７６が折り返されてパネル８０の下側に取り付けられて、スリーブの下部壁を形成する。折り目８２、８４の間の部分および折り目８６、８８の間の部分は、それぞれ、スリーブ１２の側壁２２、２４を形成する。
【００３９】
パネル７６、８０の各端部の切り欠き部に対応して、スリーブ１２の下部壁は一端で横長の切り欠き部９０を有することになる。この切り欠き部９０により、ボックス１０のユーザは、第１又は第２タブ部材１４、１６のうち一方の一端を両側から掴むことによって把持して、タブ部材を矢印Ｘ方向へ引き出すことができる。他の形状も可能であることが理解されるであろう。本発明の別の実施形態では、図８に示すように、スリーブ１２の上部壁１８は、切り欠き部９０と同じ端部において、半円の切り欠き部９２を有している。これにより、さらにタブ部材１４、１６が掴みやすくなる。
【００４０】
スリーブ１２は、ホイルブロックおよびエンボス加工を施すことにより完成する。ボックス／包装体には、印刷面に光沢面を施したり、フィルムラミネートを施すことにより、ふき取り仕上げを行ってもよい。製品の出し入れをしやすくして、高齢者や体力のない人にも適したパッケージとなるよう、この包装体には強制ロック装置などを設けないことが好ましい。
【００４１】
本発明は、添付の特許請求の範囲その他の発明記載で限定している本質的範囲を逸脱しなければ、他の特定の形態で実施してもよい。例えば、ベルトは必ずしも連続ループ状である必要はなく、一方のタブ部材の移動により他方のタブ部材が移動するように、タブ部材側の、互いに協働する帯板であってもよい。スリーブはどのようなタイプのフレームであってもよい。タブ／トレイ部材１４、１６は、必ずしも全体がスリーブ１２に収容されなくてもよい。つまり、タブ／トレイ部材１４、１６は、これらの部材の一部分がスリーブ１２の外側に残るような形状、サイズであってもよい。第１タブ部材の形状は、図３（ｃ）に示すものと異なっていてもよく、例えば、隔室はひとつだけであってもよいし、小仕切りやその他の形状の複数の隔室を備えるものであってもよい。タブ／トレイ部材１４、１６はどのような形状であってもよく、必ずしも図３（ｃ）に示すものでなくてもよい。本件の包装体は、様々な形状およびサイズ、種々の異なる素材で製造することができ、図面に示す形状に限定されない。
【図面の簡単な説明】
【００４２】
【図１】本発明の一実施形態による第１タブ部材、第２タブ部材、仕切り材およびスリーブを有するボックスの斜視図であり、（ａ）はタブ部材が閉位置にあるとき、（ｂ）はタブ部材が第１方向に開いているとき、（ｃ）はタブ部材が第２方向に開いているときを示す図
【図２】図１の分解斜視図であって、明瞭のためにスリーブを省略して示す図
【図３】（ａ）は本発明の一実施形態によるボックスのスリーブの斜視図、（ｂ）ボックスに適した仕切り材の上面の平面図、（ｃ）はボックスに適したタブ部材の斜視図
【図４】図１（ａ）のボックスのＡ−Ａ線概略断面図であって、（ａ）はタブ部材が閉位置にあるとき、（ｂ）はタブ部材が第１方向に開いているとき、（ｃ）はタブ部材が第２方向に開いているときを示す図
【図５】図４と同様の断面図であって、本発明の別実施形態を示す図
【図６】図４および図５と同様の断面図であって、本発明のさらに別の実施形態を示す図
【図７】本発明のいずれかの実施形態によるボックスの、スリーブ半製品の平面図
【図８】図７のスリーブとは別形態の半製品の平面図
【図１】
2009523675.tif 000003
【図２】
2009523675.tif 000004
【図３】
2009523675.tif 000005
【図４】
2009523675.tif 000006
【図５】
2009523675.tif 000007
【図６】
2009523675.tif 000008
【図７】
2009523675.tif 000009
【図８】
2009523675.tif 000010
【国際調査報告】
2009523675.tif 000011
2009523675.tif 000012
2009523675.tif 000013
2009523675.tif 000014
2009523675.tif 000015